(57)【特許請求の範囲】
【請求項１】
複数の容器が積み重ねられてなる段積み容器を支持レール上に載置した状態で所定間隔ごとに移送する移送手段と、原反ロールから引き出した連続フィルムを所定寸法に切断して一枚ごとのシート状フィルムとし、そのシート状フィルムを段積み容器の最上面位置に供給するフィルム供給手段と、前記移送手段による移送過程において、段積み容器に載置されたシート状フィルムをその段積み容器の左右の側部に沿わせるように折り曲げたうえでその段積み容器の底面側において両端を重合状態にして貼着する折込貼着手段と、を有する帯掛け包装装置であって、
前記フィルム供給手段は、段積み容器に対するシート状フィルムの帯掛け重合代に相当する部位の一部に繰り返し再封可能な感圧性接着材を塗布する接着材塗布装置を備え、前記折込貼着手段はシート状フィルムの左右両端部を前記支持レールの下側位置へ重合状に折り込む第１及び第２の折込部材を備え、
第１及び第２の折込部材は、前記段積み容器の移送速度と同速度で下流方向へ移動しつつシート状フィルムの両端部が段積み容器の底面側において重合状態となるように折り込む構成とされており、
前記第１の折込部材の先端部に切欠部を形成すると共にその切欠部に隣接して滑り止め部材を設け、
前記第２の折込部材に滑り止め部材を設け、
前記第１及び第２の折込部材でシート状フィルムの両端部を前記支持レールの下側位置へ折り込んだ状態で、そのシート状フィルムの左右の端部をそれぞれ支持し、容器底面の支持面におけるシート状フィルムのフィルム重合部における前記切欠部に対応する位置に前記接着材塗布装置により接着材を塗布することを特徴とする段積み容器の帯掛け包装装置。
【請求項２】
前記接着材塗布装置には、原反ロールから引き出された連続フィルムがシート状フィルムとして切断されるまでの間において、当該連続フィルムの幅方向一縁部についてその切断ピッチに合わせた所定間隔ごとに接着材を塗布する塗布部材が配設されていることを特徴とする請求項１記載の段積み容器の帯掛け包装装置。
【請求項３】
前記切欠部は、先に折り込まれるシート状フィルムの表面に塗布されている接着材に接触しないように、第１折込部材の先端部で、幅方向中央位置に形成してあることを特徴とする請求項１又は２に記載の段積み容器の帯掛け包装装置。
【発明の詳細な説明】
【０００１】
【発明の属する技術分野】
この発明は、段積み容器にフィルム帯を掛ける帯掛け包装装置に関するものである。
【０００２】
【従来の技術】
納豆等を充填した食品容器の複数個を段積みしたうえでシート状フィルムで一体に包装する帯掛け包装が利用されている。この帯掛け包装は、段積み容器の周囲にシート状フィルムを巻き付けて該フィルムの両端を重合状態にし、所定の温度に加熱されたシーラーをフィルム重合部に押し当てて部分的に加熱溶着する方法で行われるのが一般的である。
【０００３】
【発明が解決しようとする課題】
ところが、上記のシーラーを、段積み容器の底面側に位置するフィルム重合部に押し当てて部分的に加熱溶着した際に、フィルムならびに容器底面に穴があいたりフィルムの溶融シワが発生したりして包装後の見栄えが悪くなってしまうことがある。
また、フィルム重合部を熱接着するために熱溶着性フィルムを使用する必要があるばかりでなく、食品購入者が帯掛けされたフィルムを破り易くするための開封用ノッチ、ミシン目等を設けることにするとその分装置が複雑化する。
また、食品購入者が例えば１食分のみ食して残りの複数の容器を冷蔵庫等に保管する場合に、開封した帯掛けフィルムを再使用することができないので、ばらばらになり整頓し難い。
【０００４】
本発明は、上記の問題点を解消するためになされたもので、段積み容器にシート状フィルムを巻き付けて包装したときの見栄えが極めて良好になる帯掛け包装装置を提供することを目的とする。また、開封後の帯掛けフィルムを使用して再封止できるようすることをもう一つの目的とする。
【０００５】
【課題を解決するための手段】
この技術課題は、前記の各請求項に記載した構成の段積み容器の帯掛け包装装置により解決される。ここでいう帯掛け包装装置は、例えば図１５に示したように、複数の容器が積み重ねられてなる段積み容器Ｋに帯（シート状）フィルムＦを巻き回してフィルム両端部を接着する包装工程を担うものである。
【０００６】
請求項１記載の包装装置では、段積み容器の最上面に供給されて容器の左右の側部に沿って折り曲げられたシート状フィルムを折込部材にて段積み容器の底面側に折り曲げ、接着材が塗布されている端部（帯掛け重合代）を支持レールの下側位置で重合状態にして貼着している。上記のシート状フィルムは両端が接着材にて貼着されるため、加熱溶着に起因する問題は起きない。例えば溶融シワが発生することがなく見栄え良く仕上がる。
なお、シート状フィルムの貼着に繰り返し再封可能な感圧性接着材を使用することが好ましい。これによって帯掛け包装の開封が容易となり、しかも、開封したシート状フィルムの再封止（再使用）が可能になる。
また、シート状フィルムの両端をそれぞれ支持レールの下側位置へ折り込んだ第１及び第２の両折込部材は、各々フィルム端部を支持しつつ段積み容器の移送速度と同速度で該支持レールに沿って移動して、重合状態となるように折り込むが、前記第１の折込部材の先端部には切欠部２６ｅが形成してあると共にその切欠部２６ｅに隣接して滑り止め部材２６ｈが設けてある。一方、前記第２の折込部材には滑り止め部材２７ｆを設けてある。
又、前記第１及び第２の折込部材でシート状フィルムの両端部を前記支持レールの下側位置へ折り込んだ状態で、そのシート状フィルムの左右の端部をそれぞれ支持し、容器底面の支持面におけるシート状フィルムのフィルム重合部における前記切欠部２６ｅに対応する位置には、接着材塗布装置により接着材が塗布されている。
そこで、前記第１及び第２の折込部材でシート状フィルムの左右の端部をそれぞれ支持して、シート状フィルムのフィルム重合部を接着剤で接着するに当たって、シート状フィルムとの摩擦抵抗が大なる処理が施されて滑り難くなっている滑り止め部材２６ｈと滑り止め部材２７ｆによって、フィルムが重合され貼着されるまでフィルムがずれないように位置決めされて折り込むことができる。
【０００７】
請求項２記載の包装装置では、接着材塗布装置による接着材の塗布は、原反ロールから引き出された連続フィルムがシート状フィルムとして切断されるまでの間において行われる。したがって、接着材塗布時の位置決めが容易でその分装置も簡略化される。なお、原反ロール（フィルム材料）は熱融着させるタイプのものと共用可能で、また、フィルムの性状や接着材の種類等に合わせて接着材の塗布位置や量を適宜に調節することもできる。
【０００８】
請求項３記載の包装装置における切欠部２６ｅは、先に折り込まれるシート状フィルムの表面に塗布されている接着材に接触しないように、第１折込部材２６ｄの先端部で、幅方向中央位置に形成してある。
そのため、第１折込部材２６ｄは、切欠部２６ｅによって、接着材が付着するのを防止できる。すなわち、接着材が付いたシート状フィルムの扱いが容易になり、段積み容器に載置するときの位置決めや、折り曲げ時の操作が容易になる。
【０００９】
【発明の実施の形態】
本発明の一実施形態を図に基づいて説明する。図１は帯掛け包装装置を示す正面概略図、図１５は帯掛け包装の様子を段階的に説明する図である。この帯掛け包装装置は、複数の容器が積み重ねられてなる段積み容器Ｋに、原反ロールＲから引き出して所定寸法に切断したシート状フィルム（以下、帯フィルムという）Ｆを上から被せて巻き回すとともに、その帯フィルムＦの両端は繰り返し再封止可能な感圧性接着材Ｈを使用して接着するという帯掛け包装工程を連続的に処理可能に形成されたものであり、大別すると、段積み容器Ｋを略水平方向に移送する移送手段と、段積み容器Ｋの最上面位置に帯フィルムＦを供給するフィルム供給手段と、その帯フィルムＦを段積み容器Ｋの左右の側部に沿わせるように折り曲げたうえで環状につなぐ貼着手段と、帯掛け包装が済んだ段積み容器Ｋを次工程に向けて排出する排出手段とからなる構成である。
なお、包装対象の容器は、本例では、納豆を一食分ずつ小分けして入れるポリスチレン製の食品容器であり、段積み状態にしたときに上下方向に所定の弾性を有するものが好適に使用される。
以下、包装装置の各部構成を順に説明する。
【００１０】
（１）  移送手段
上記移送手段について説明する。図１及び図２に示すように、本体フレーム２に、段積み容器Ｋを載置する細長いレール３ａと、レール３ａに載置された段積み容器Ｋを所定間隔ごとに支持して移送するための容器搬送コンベヤ４とが備えられている。レール３ａは段積み容器Ｋの底部幅よりやや狭い幅寸法に形成され、フレーム２に設けられたコンベヤステー２ａの上面に起立する支持脚２ｂを介して略水平状に支持されている。
【００１１】
レール３ａの容器搬送方向下流側にはレール３ａと同じ幅の支持板３ｂが延設されている。この支持板３ｂは所定の弾性を有する片持ち梁状に支持されて上下方向に撓むことができるようになっている。なお、レール３ａ及び支持板３ｂが本発明でいう支持レール３を構成している。
また、コンベヤステー２ａには支持レール３と平行に延びる左右のチェーンレール２ｃ，２ｃが設けられており、各チェーンレール２ｃに部分的にはまり込んだ左右一対の無端状チェーン４ｃ，４ｃがそれぞれ対応する駆動側スプロケット４ｄと従動側スプロケット４ｅとに掛けられている。この駆動側スプロケット４ｄは適宜な駆動装置（図示省略）により駆動されるようになっている。
【００１２】
上記左右のチェーン４ｃ，４ｃにわたって多数の押部材４ａが一定の取り付けピッチで装着されており、チェーン４ｃ，４ｃが駆動されると支持レール３を跨いでいる押部材４ａがその支持レール３上の段積み容器Ｋを押動するようになっている。押部材４ａの先端部は切欠状凹部４ｂが形成され、後述するアッパーコンベヤ１１により段積み容器Ｋが押圧されて搬送される際に接触干渉しないように設定されている。
なお、この容器搬送コンベヤ４は、図１及び図１４に示すように、包装装置１の下流側（図示右端）に移送した段積み容器Ｋを排出コンベヤ４０（詳しくは後述する）に引き渡すようになっている。
【００１３】
（２）  フィルム供給手段
次に、前記フィルム供給手段について説明する。フィルム供給手段は、原反ロールＲから連続的に引き出した連続フィルムＦ０  を、ダンサロールを有する張力調節機構で張力を調節しつつ、一包装長分のフィルム幅に応じた移送量分ずつ間欠的に繰り出すようにしたフィルム供給機構５と、繰り出された連続フィルムＦ０  に対し所定の位置に接着材を塗布する接着材塗布装置６と、その連続フィルムＦ０  を所定寸法の帯フィルムＦに切断する切断装置７と、段積み容器Ｋの移動にタイミングを合わせて帯フィルムＦを順次段積み容器Ｋの最上面位置に載置するフィルム移載装置８とからなる。
【００１４】
接着材塗布装置６は、連続フィルムＦ０  が切断装置７に達する手前位置に配設されたノズル等の塗布部材６ａにより、連続フィルムＦ０  の幅方向一縁部について、間欠的に繰出しされる連続フィルムＦ０  の切断ピッチに合わせた所定間隔毎に接着材Ｈを塗布するものであり、接着材Ｈの塗布面積（塗布量）はほぼ一定にコントロールされる。これにより接着材Ｈの塗布位置は、図１５に表わされているように、連続フィルムＦ０  が切断されて帯フィルムＦとなって段積み容器Ｋに載置されたときにフィルム上面側となる面であり、かつ、その帯フィルムＦの両端部のうち先に折込まれて重合状態になったときに内側となる方の端部（重合代）に局部的に塗布される。
【００１５】
このように、接着材Ｈを塗布する部位を、帯掛け後に重なり合うフィルム重合代のうちの重合されたときに内側となるフィルム端部にすることで、接着材塗布面を上にしてコンベヤ等での移送が容易にできる。すなわち、容器の側面に沿って折り曲げられていくときに、垂れ下がったフィルムの外面側に塗布面が位置するので、接着材Ｈが各部にくっついてしまうことが回避される。
【００１６】
この接着材Ｈは、繰り返し再封可能な感圧性接着材、具体的には、約１１０℃前後で溶融する低温溶融性のホットメルト材（例えば積水化学（株）製のエスダインＮｏ．９１３２Ｋ）が好適に使用される。この他、適宜な接着材（粘着材を含む）を使用することも可能である。
また、上記の接着材Ｈの塗布部材は、例えばノードソン（株）製ＥＰ１１スロットガン等を使用することで対応し得る。
【００１７】
接着材Ｈが塗布された連続フィルムＦ０  は一対の送りローラ５ｂに挟持されて切断装置７に向けて間欠的に送り出され、フィルム切断カッター７ａにより横断方向に切断されて一枚の帯フィルムＦとなる。この送りローラ５ｂには、連続フィルムＦ０  の接着材塗布位置に対応するフィルム挟持位置に逃がし凹部が形成された周面形状となっており、接着材Ｈのくっつきが回避されている。そして、切断された帯フィルムＦは、次述するフィルム移載装置８にて段積み容器Ｋの最上部に供給される。
【００１８】
図３及び図４に示すように、フィルム移載装置８はフィルム送り機構９とフィルム移送機構１０とからなる。
先ず、フィルム送り機構９について説明する。切断カッター７ａにより切断された帯フィルムＦは、斜め下向きに傾斜する棒状の下ガイド部材９ａと上ガイド部材９ｂとの間を複数の上段供給ベルト９ｃ，９ｄ（上下にあって帯フィルムＦを挟持して送る。）によって案内されて進み、２本の下段供給ベルト９ｅ上に乗り移るようになっている。
【００１９】
この供給ベルト９ｃ，９ｄ，９ｅは、図１に示すごとく、容器搬送コンベヤ４を駆動するチェーン駆動機構の駆動チェーン４ｆを介して容器搬送コンベヤ４と同調するように中間チェーン９ｆにより連係駆動されており、押部材４ａの移動による段積み容器Ｋの移送タイミングと帯フィルムＦの供給タイミングとが一致してその帯フィルムＦが段積み容器Ｋの上に正しく載置されるようになっている。９ｈは中間チェーン９ｆを駆動するスプロケットである。
【００２０】
そして、段積み容器Ｋの上に中央部が乗った帯フィルムＦが左右にねじれたりして位置ずれを起こさないように、フィルム移送機構１０の送り爪１０ａが帯フィルムＦの両端部を支持して押部材４ａと同じ速度で前方に移動する。この送り爪１０ａは前後のスプロケット１０ｂ，１０ｃとテンションローラ１０ｄと駆動スプロケット１０ｅとに掛けられた無端チェーン１０ｆに装着されており、チェーン１０ｆは、駆動スプロケット１０ｅに連結するチェーン駆動機構の駆動チェーン４ｆによって容器搬送コンベヤ４及びフィルム送り機構９と同調するように駆動されている。
こうして、押部材４ａに押され、かつ、帯フィルムＦが載置された状態でレール３ａ上を移動する段積み容器Ｋは、次述するアッパーコンベヤ１１の移送面に当接する。
【００２１】
アッパーコンベヤ１１は、押部材４ａによって下流方向に移送される段積み容器Ｋに対して帯フィルムＦを上から押圧して位置ずれを防ぐとともに、帯掛け工程が済むまで段積み容器Ｋを弾性変形させ、押圧力を解除したときの段積み容器Ｋの復元により帯フィルムＦをぴんと張り、弛みをなくすとともに製品の見栄えを良くするためのものである。
【００２２】
図１、図３及び図５に示すように、アッパーコンベヤ１１はプーリ１１ａ，１１ｂ，１１ｃに無端ベルト１１ｄを掛けたもので、その搬送面は全体としては支持レール３と平行に設置され、先端部にはプーリ１１ｂにより下向きに傾斜する引込面が形成されている。なお、プーリ１１ｃは図示省略の駆動装置を介して、容器搬送コンベヤ４、フィルム送り機構９及びフィルム移送機構１０と同調するように駆動されている。なお、アッパーコンベヤ１１の設定高さは、図示省略の調整機構により容器段積み数や容器高さの変更等に対応して適宜に設定できるようになっている。
【００２３】
このアッパーコンベヤ１１の左右両側付近に、ベルト搬送面（下面）の高さ位置から下方に突出する立て板状の折込ガイド１２が配設されている。左右一対の折込ガイド１２は帯フィルムＦを折り曲げる折曲機構というべきもので、図１に示すように、先端部が斜め下向きに傾斜しており、この傾斜部１２ａに帯フィルムＦが案内されて、その段積み容器Ｋの側部に沿うように、段積み容器Ｋと共に移送されるにつれて徐々に折り曲げられていく。この傾斜部１２ａを過ぎると帯フィルムＦは段積み容器Ｋの上面から左右側面に沿って折り曲げられ、帯フィルムＦの各折り曲げ端部が垂下状に支持された状態となる。
【００２４】
（３）  折込貼着手段
次に、上記の帯フィルムＦをさらに容器底面側に折り曲げて貼着する折込貼着手段について説明する。この折込貼着手段は、帯フィルムＦの左右両端を支持板３ｂの下面側に折り込む折込機構２０と圧着コンベヤ３０とからなり、支持板３ｂ上の位置に移送されてきた段積み容器Ｋに対して作用するように構成されている。
【００２５】
先ず、折込機構２０について図６，図７，図８を参照して説明する。前後対をなすスプロケット２１，２２（２１ａ〜２１ｄ，２２ａ〜２２ｄ）に掛けられた４列の無端のチェーン２３（２３ａ〜２３ｄ）が本体フレーム２側に固定されたチェーンレール１４（１４ａ〜１４ｄ）（図８参照）にガイドされて運動するように配備され、移送方向に向かって右側２本のチェーン２３ａ，２３ｂと左側２本のチェーン２３ｃ，２３ｄとには段積み容器Ｋの移送方向と直角に延びるレール２４ａ，２５ａを有する多数の支持体２４，２５がそれぞれ装着されている。支持体２４，２５のそれぞれの取り付けピッチは押部材４ａの間隔と同じである。なお、スプロケット２１，２２は駆動側スプロケット４ｄと同調して回転し、支持体２４，２５は段積み容器Ｋの移送速度と同速度で容器移送方向下流に向けて移動するようになっている。
【００２６】
支持体２４，２５には、第１折込具２６，第２折込具２７が容器移送方向と直交する方向に進退移動自在に装着されている。図１０及び図１１に示すように、第１及び第２折込具２６，２７は、ホルダ２６ａ，２７ａに、レール２４ａ，２５ａに沿って転動できるローラ２６ｂ，２７ｂと、本体フレーム２側に固定された左右のカムプレート１３に形成されたカム溝１３ａ，１３ｂにはまり込むカムフォロワ２６ｃ，２７ｃと、第１及び第２折込部材２６ｄ，２７ｄとが取り付けられてなり、チェーン２３が駆動されると支持体２４，２５がチェーン２３の進行方向に移動するとともに、第１及び第２折込具２６，２７とがカム溝１３ａ，１３ｂの形状に応じて近接／離間するようになっている。
【００２７】
なお、第１折込部材２６ｄは接着材塗布面側のフィルム端部を折り込む第１折込具２６に取り付けられており、カム溝１３ａ，１３ｂの位相差（後述する）に基づいて第２折込部材２７ｄより先に作動する。したがって、この第１折込部材２６ｄの先端部には、帯フィルムＦに付着する接着材Ｈと接触しないように切欠部（逃がし凹部）２６ｅが形成されるとともに、帯フィルムＦとの滑りを良くする処理が施されている。具体的には、本例では、切欠部２６ｅの両側に位置する突出部２６ｐの先端部にフッ素樹脂等からなる薄いシート状の摩擦抵抗軽減部材２６ｆを貼着することで、折込後第１折込部材２６ｄが容器底面から離間するときのフィルムの引き戻しによるフィルムとの摩擦抵抗を軽減し、すべりを良くして、帯フィルムＦの位置ズレを防止するようになっている。
【００２８】
さらに、突出部２６ｐの基端部付近で摩擦抵抗軽減部材２６ｆに隣接する位置（第１折込部材２６ｄが最前進したときに支持板３ｂの長手方向中心より略半分の位置に重なり合う部分）には、折り込んだ帯フィルムＦを支持板３ｂとの間で軽接触状態で保持し、第２折込部材２７ｄによる折込完了時までの間にわたり帯フィルムＦの位置ズレを防止するために、帯フィルムＦを滑りにくくする処理（本例では、摩擦係数が比較的大きな薄いシート状滑り止め部材２６ｈの貼着）が施されている。
【００２９】
他方、第２折込部材２７ｄの上面には、切欠部２６ｅに対応する形状の押圧部２７ｅが隆起するように設けられている。押圧部２７ｅは、図１１に示すように、両折込具２６，２７の第１及び第２折込部材２６ｄ，２７ｄがかみ合うように作動してフィルム端部を折り込んだときに、フィルム重合部を支持板３ｂの下面に対して押圧できる高さ寸法に設定されている。
【００３０】
その押圧部２７ｅの両側位置（前進したときに第１折込部材２６ｄの両側の突出部２６ｐに対応する位置）には、すでに容器底面側に折り込まれている他方のフィルム端部に対して第２折込部材２７ｄでの折り込み時に帯フィルムＦの幅方向両端が位置ズレするのを防止するために、帯フィルムＦとの摩擦係数が大なる処理、（本例では、比較的薄い滑り止め部材２７ｆの貼着）が施されている。
【００３１】
なお、第２折込部材２７ｄは容器底面側で第１折込部材２６ｄと重合状態となったときに、第１折込部材２６ｄ下面とで帯フィルムＦを挟み込むことのないわずかなすきまが存するように設定され、これにより第１及び第２折込部材２６ｄ，２７ｄが離間する際に貼着状態の帯フィルムＦを引きはがすことが防がれる。押圧部２７ｅが支持板３ｂの下面を押圧して上方に撓んだ場合であっても同じである。
【００３２】
なお、前記カム溝１３ａ，１３ｂの形状は、図９に示すように、本体フレーム２の中心線（段積み容器Ｋの移送中心線Ｌ）に対して非対称である。すなわち、第１折込具２６が作動して帯フィルムＦの一端を支持板３ｂの下面側に折り込んだ後（図８の想像線参照）、やや位相が遅れるようにして第２折込具２７が作動して帯フィルムＦの他端を折り込んでフィルム重合部を形成する。そして、そのフィルム重合部における接着材塗布位置を、若干隆起した押圧部２７ｅにて支持板３ｂの下面側に押圧することで接着材Ｈの接着を確実にすることができるようになっている。なお、カム溝１３ａ，１３ｂの後半部の形状はほぼ対称であり、押圧工程が済んだら両折込具２６，２７は同時に両側の待避位置に移動する。
【００３３】
次に、図１２，図１３を参照して圧着コンベヤ３０について説明する。
両図に示す圧着コンベヤ３０は、段積み容器Ｋの底面幅より幅狭に形成された圧着ベルト３１からなる搬送部が設けられて、容器搬送コンベヤ４の終端部に重なるように配設され、支持板３ｂの先端部下面が圧着ベルト３１の上面（搬送面）と略平行状に接触する位置関係になっている。本例では、支持板３ｂの先端部が圧着コンベヤ３０の搬送領域の中程の位置まで延びている。この圧着ベルト３１は前後のプーリ３２，３３及び３４に掛けられており、プーリ３４と連結するスプロケット（図示省略）が容器搬送コンベヤ４を駆動するチェーン４ｃにて同時に駆動されるようになっている。圧着コンベヤ３０の圧着ベルト３１上面とアッパーコンベヤ１１の下面（搬送面）との間隔は、段積み容器Ｋを上下から適度に押圧する寸法になっている。
【００３４】
すなわち、支持板３ｂ上に載置されて押部材４ａに押されて移送されてきた段積み容器Ｋが圧着ベルト３１上に位置するときに、帯フィルムＦのフィルム重合部が支持板３ｂの弾性により支持板３ｂと圧着ベルト３１に挟まれて押圧されるので、押圧力を確保し易く、アッパーコンベヤ１１による押圧力の付加と相まって接着材による貼着がより確実なものになる。また、支持板３ｂは、薄板状であり、かつ、片持ち梁状に支持されているので、圧着ベルト３１に沿いやすく、段積み容器Ｋの引き渡しがスムーズにできる。
【００３５】
（４）  排出手段
帯掛け包装が済んだ段積み容器Ｋは、排出コンベヤ４０により排出される。この排出コンベヤ４０は圧着コンベヤ３０及び容器搬送コンベヤ４の終端位置まで移送された段積み容器Ｋを受け取って、さらに、次工程に向けて移送するもので、図１４に示す如く、移送ライン中心から左右両側に離間して設けられた２本の丸ベルトがプーリ４２，４３に巻き掛けられ、図示しない駆動モータにより回転作動されるようになっている。
【００３６】
押部材４ａにより押送されてきた段積み容器Ｋはその最下段容器の鍔部が２本の丸ベルトに載置されて移送され、また、その移送速度は容器搬送コンべヤ４並びに圧着コンベヤ３０の搬送速度より速い移送速度に設定されていることにより、押し部材から受け渡しされた段積み容器Ｋは、その前方に設けられた押部材４ａの後面側に当接状態となるように分離され、その受け渡しが確実かつ良好に行なわれるよう設定されている。
【００３７】
次に、上記のように構成された帯掛け包装装置１の作用説明をする。
（Ａ）  前工程において所定個数毎に段積みが行なわれた段積み容器Ｋを容器搬送コンベヤ４の押部材４ａ間に順次供給する。段積み容器Ｋは所定間隔毎に保持され、レール３ａ上を押部材４ａに押されるようにして移送される。
【００３８】
（Ｂ）  一方、接着材Ｈが塗布されて所定寸法に切断された帯フィルムＦは、フィルム供給機構５により、所定位置まで移送されてきた段積み容器Ｋの上面にタイミングを合わせて一枚ずつ載置される。
【００３９】
（Ｃ）  そして、段積み容器Ｋが帯フィルムＦの上からアッパーコンベヤ１１に押圧されつつ下流側に移送される際に、帯フィルムＦは、アッパーコンべア入口から下流側に向かって下降傾斜状に設けられた折込ガイド１２に案内されて、左右両端部が段積み容器Ｋの両側面に沿うように略コ字状に折り曲げられる。
【００４０】
（Ｄ）  段積み容器Ｋがアッパーコンベヤ１１と支持板３ｂとに挟まれて上下から押圧されつつ下流側に移送される間に、支持板３ｂの側方に配備された折込機構２０の第１及び第２折込具２６，２７が段積み容器Ｋの移送速度と同速度で下流側に移動すると共に、支持板３ｂの直下位置に向けて移動することで、支持板３ｂの下方で第１折込部材２６ｄ及び第２折込部材２７ｄが帯フィルムＦの両端部を重合状に折込む。
【００４１】
（Ｅ）  第１折込部材２６ｄ及び第２折込部材２７ｄが支持板３ｂの下方位置まで移動して帯フィルムＦの両端部を重合状に折込むために、両折込部材２６ｄ，２７ｄの支持板直下位置への進入タイミングがわずかにずれて前後するように設定されていて、接着材Ｈが帯フィルムＦの表面（外面）側に塗布された側のフィルム端部が第１折込部材２６ｄにて支持板３ｂ下面に沿うように折込まれた後に、第２折込部材２７ｄにより帯フィルムＦの他方の端部が支持板３ｂ下面に折込まれることで、両端部が支持板３ｂの下面において重合状態となる。
【００４２】
（Ｆ）  第１折込部材２６ｄの先端には、帯フィルムＦを滑り易くする処理、具体的にはフッ素樹脂等からなる摩擦抵抗軽減部材２６ｆが貼着され、フィルムとの摩擦抵抗を軽減してすべりを良くし、帯フィルムＦを折込む際の折込抵抗を少なくして、折込時のフィルムの位置ズレを防止するようになっている。
また、この第１折込部材２６ｄの先端には、帯フィルムＦに塗布された接着材Ｈに接触しないようにする切欠部（逃がし凹部）２６ｅが形成され、第２折込部材２７ｄには、両折込部材２６ｄ，２７ｄが段積み容器Ｋの底面位置に帯フィルムＦを折込んだ時に、切欠部（逃がし凹部）２６ｅに進入し、フィルム重合部の接着材Ｈ（再封性接着剤）の塗布位置をフイルム外面側から支持板３ｂに対して押圧する押圧部２７ｅが設けられることで、フィルム重合部が接着材Ｈにより貼着される。
【００４３】
さらに、第１折込部材２６ｄは、突出部２６ｐの基端部付近に貼着されている滑り止め部材２６ｈの作用で、折り込んだ帯フィルムＦを支持板３ｂとの間で軽接触状態で保持し、第２折込部材２７ｄによる折込完了時までの間にわたり帯フィルムＦの位置ズレを防止する。
また、第２折込部材２７ｄは、すでに容器底面側に折り込まれている他方のフィルム端部に対して第２折込部材２７ｄでの折り込み時に、帯フィルムＦの幅方向両端が位置ズレするのを滑り止め部材２７ｆの作用で防止する。
【００４４】
（Ｇ）  そして、段積み容器Ｋの最下段容器の底面が支持板３ｂによって支持され、アッパーコンべヤ１１によって載置フィルムと共に段積み容器Ｋが僅かに圧縮された状態で移送方向へ順次移送される。
アッパーコンベヤ１１の終端部の手前位置まで帯掛けされた段積み容器Ｋが移送されると、支持板３ｂが圧着コンベヤ３０上に延設されているので、帯フィルムＦの貼着部位は支持板３ｂと圧着ベルト３１にて押圧され接着材Ｈによる貼着がより強固なものとされる。
【００４５】
（Ｈ）  上記の支持板３ｂは、第１折込部材２６ｄ及び第２折込部材２７ｄが支持板３ｂの下方に進入する位置から圧着コンベヤ３０の配設位置の搬送路の所定領域に至る間について薄板上に形成されるとともにその最終端部は支持されない自由端とされて、圧着コンベヤ３０の搬送体（圧着ベルト３１）上面に当接した状態になるように設定され、折込機構２０における両折込部材２６ｄ，２７ｄが支持板３ｂに対してフィルム重合接着部を押圧する際に上方へ逃げて両折込部材２６ｄ，２７ｄが帯フィルムＦの両端部を重合した状態で段積み容器Ｋが下流側に移送される時の重合フィルムのズレを防止し、また、圧着コンベヤ３０の配設領域については、圧着コンベヤ３０の搬送体面に支持板３ｂが弾性的に接触した状態となって、支持板３ｂと圧着コンベヤ３０とにより、フィルム重合接着部をより良好に貼着するように作用する。
【００４６】
（Ｉ）  段積み容器Ｋが排出コンベヤ４０によて、アッパーコンべヤ１１の終端より下流側に移送される際に、圧着コンベヤ３０とアッパーコンべヤ１１とによる段積み容器Ｋの圧縮が解除され、帯掛けされた帯フィルムＦは段積み容器Ｋの弾性復帰作用により、上下方向にたるみなく良好な包装状態として下流側に排出される。
【００４７】
上記構成の帯掛け包装装置においては、接着材塗布装置６による接着材Ｈの塗布は、連続フィルムＦ０  に対して行うようにしたが、カット後の帯フィルムＦの移送過程で行っても良い。
また、折込機構２０は段積み容器Ｋの移送速度と同速度で下流側へ移動しつつ第１及び第２両折込部材２６ｄ，２７ｄを近接／離間させるようにしたが、下流側へ移動せず移送方向に対して直角方向にのみ進退移動するようにして構成の簡素化を図ることもできる。
また、支持板３ｂは片持ち梁状に支持される構造にしたが、適宜な付勢手段を備えて、支持板３ｂが圧着コンベヤ３０と押圧部２７ｅとに対して弾性をもって作用する構造にしても構わない。
この他、当業者の知識に基づき、種々の変更を加えた態様で本発明を実施し得ることは勿論である。
【００４８】
【発明の効果】
本発明の帯掛け包装装置では接着材にてシート状フィルムの両端を貼着しており、従来のようなフィルムの加熱溶着に起因する問題が起きない。すなわち、包装後のフィルム重合部に加熱溶融による穴、溶融シワの発生がなく、極めて綺麗な包装ができるので、包装品の見栄えが著しく向上する。また、熱溶着性フィルムを使用する必要がないので包材コストをより低廉なものにできる。
なお、再封性を有する接着材（再封性接着剤ともいう）の使用により、開封後のシート状フィルムを再使用（帯掛け再封止）することができるので、利便性が向上する。
【図面の簡単な説明】
【図１】実施形態に係る帯掛け包装装置の概略正面図である。
【図２】容器搬送コンベヤの縦断面図である。
【図３】フィルム移載装置を説明する部分拡大図である。
【図４】フィルム移送機構の概略側面図である。
【図５】アッパーコンベヤと折込ガイド、支持板との関係を示す概略縦断面図である。
【図６】折込機構の一部破断正面図である。
【図７】同折込機構の平面図である。
【図８】折込機構の折込部材が離間した状態を示す一部破断側面図である。
【図９】カム溝のプロフィルを示す図である。
【図１０】第１及び第２折込具の平面図である。
【図１１】シート状フィルムの端部を重合状に折り込んだ位置を示す、左右の折込部材の側面図である。
【図１２】圧着コンベヤを説明する一部破断正面図である。
【図１３】圧着コンベヤを説明する縦断面図である。
【図１４】排出コンベヤの正面図である。
【図１５】帯掛け包装の説明図である。
【符号の説明】
１  帯掛け包装装置
３  支持レール
３ａ  レール（支持レール）
３ｂ  支持板（支持レール）
４  容器搬送コンベヤ
４ａ  押部材
５  フィルム供給機構
６  接着材塗布装置
６ａ  塗布部材
７  切断装置
８  フィルム移載装置
９  フィルム送り機構
１０  フィルム移送機構
１１  アッパーコンベヤ
２０  折込機構
２６  第１折込具
２６ｄ  第１折込部材
２７  第２折込具
２７ｄ  第２折込部材
２７ｅ  押圧部
３０  圧着コンベヤ
４０  排出コンベヤ
Ｋ  段積み容器
Ｆ  帯フィルム（シート状フィルム）
Ｈ  接着材
【図１】
0003604591.tif 000002
【図２】
0003604591.tif 000003
【図３】
0003604591.tif 000004
【図４】
0003604591.tif 000005
【図５】
0003604591.tif 000006
【図６】
0003604591.tif 000007
【図７】
0003604591.tif 000008
【図８】
0003604591.tif 000009
【図９】
0003604591.tif 000010
【図１０】
0003604591.tif 000011
【図１１】
0003604591.tif 000012
【図１２】
0003604591.tif 000013
【図１３】
0003604591.tif 000014
【図１４】
0003604591.tif 000015
【図１５】
0003604591.tif 000016